(57)【特許請求の範囲】
【請求項１】
通信方法において、当該方法が、
モバイル局に関連しているリンク識別子にアクセスするステップと、
複数のプロセッサ間での相対的ワークロードに基づいて、前記複数のプロセッサのうちの１つのプロセッサを、前記モバイル局のためのサービス提供プロセッサとして割り当てるステップと、
基地局が、単一あるいは複数個のメッセージを、前記サービス提供プロセッサにルーティングすることを可能にするルーティングラベルを包含させる目的で、前記リンク識別子を修正するステップとを有することを特徴とする通信方法であり、
前記基地局が、単一あるいは複数個のメッセージを、前記サービス提供プロセッサにルーティングすることを可能にするルーティングラベルを包含させる目的で、前記リンク識別子を修正するステップが、複数の基地局のうちの任意の基地局が、前記単一あるいは複数個のメッセージを、前記サービス提供プロセッサにルーティングすることを可能とするルーティングラベルを含むように、前記ルーティングラベルを選択するステップを含み、
前記複数の基地局のうちの任意の基地局が、前記単一あるいは複数個のメッセージを、前記サービス提供プロセッサにルーティングすることを可能とするルーティングラベルを含むように、前記ルーティングラベルを選択するステップが、前記複数の基地局のうちの第１基地局が、前記モバイル局に関連付けられた第１メッセージを、前記サービス提供プロセッサにルーティングすることを可能とし、且つ、前記複数の基地局のうちの第２基地局が、前記モバイル局に関連付けられた第２メッセージを、前記サービス提供プロセッサにルーティングすることを可能とするルーティングラベルを含むように、前記ルーティングラベルを選択するステップを含み、
前記リンク識別子は、第１リンク識別子を含み、前記モバイル局は、第１モバイル局を含み、前記サービス提供プロセッサは、第１サービス提供プロセッサを含み、前記複数の基地局のうちの第１基地局が、前記モバイル局に関連付けられた第１メッセージを、前記第１サービス提供プロセッサにルーティングすることを可能とし、且つ、前記複数の基地局のうちの第２基地局が、前記モバイル局に関連付けられた第２メッセージを、前記サービス提供プロセッサにルーティングすることを可能とする前記ルーティングラベルが、第１ルーティングラベルを含み、
該通信方法がさらに、
第２モバイル局と関連付けられた第２リンク識別子にアクセスするステップと、
前記第１基地局が、前記第２モバイル局に関連付けられた第３メッセージを、第２サービス提供プロセッサにルーティングすることを可能にし、且つ、前記第２基地局が、前記第２モバイル局に関連付けられた第４メッセージを、前記第２サービス提供プロセッサにルーティングすることを可能とする第２ルーティングラベルを包含させる目的で前記第２リンク識別子を修正するステップと、
を有することを特徴とする通信方法。
【請求項２】
通信システムにおいて、当該システムが、
モバイル局に関連しているリンク識別子にアクセスするコンポーネントと、
複数のプロセッサ間での相対的ワークロードに基づいて、前記複数のプロセッサのうちの１つのプロセッサを、前記モバイル局のためのサービス提供プロセッサとして割り当てるコンポーネントと、
基地局が、単一あるいは複数個のメッセージを、前記サービス提供プロセッサにルーティングすることを可能にするルーティングラベルを包含させる目的で、前記リンク識別子を修正するコンポーネントとを有することを特徴とする通信システムであり、
前記ルーティングラベルが、複数の基地局のうちの任意の基地局をして、前記単一あるいは複数のメッセージを、前記サービス提供プロセッサにルーティングすることを可能とするものであり、
前記ルーティングラベルが、前記複数の基地局のうちの第１基地局が、前記モバイル局に関連付けられた第１メッセージを、前記サービス提供プロセッサにルーティングすることを可能とし、且つ、前記複数の基地局のうちの第２基地局が、前記モバイル局に関連付けられた第２メッセージを、前記サービス提供プロセッサにルーティングすることを可能とするものであり、
前記リンク識別子は、第１リンク識別子を含み、前記モバイル局は、第１モバイル局を含み、前記サービス提供プロセッサは、第１サービス提供プロセッサを含み、前記ルーティングラベルが、第１ルーティングラベルを含み、
該通信システムがさらに、
第２モバイル局に関連している第２リンク識別子にアクセスするコンポーネントと、
前記第１基地局が、前記第２モバイル局に関連付けられた第３メッセージを、第２サービス提供プロセッサにルーティングすることを可能とし、且つ、前記第２基地局が、前記第２モバイル局に関連付けられた第４メッセージを、前記第２サービス提供プロセッサにルーティングすることを可能とする第２ルーティングラベルを包含させる目的で、前記第２リンク識別子を修正するコンポーネントとを、
有することを特徴とする通信システム。
【請求項３】
コンピュータで読み取り可能な信号生成媒体と、
モバイル局に関連したリンク識別子にアクセスするための前記媒体に配置された手段と、
複数のプロセッサ間での相対的ワークロードに基づいて、前記複数のプロセッサのうちの１つのプロセッサを、前記モバイル局のためのサービス提供プロセッサとして割り当てるための前記媒体に配置された手段と、
基地局が、サービス提供プロセッサ宛に、単一あるいは複数のメッセージをルーティングすることを可能にするルーティングラベルを含むリンク識別子を修正するための前記媒体に配置された手段とを有する通信装置であり、
前記基地局が、単一あるいは複数個のメッセージを、サービス提供プロセッサにルーティングすることを可能にするルーティングラベルを包含させる目的で、前記リンク識別子を修正するための前記媒体に配置された手段が、複数の基地局のうちの任意の基地局が、前記単一あるいは複数個のメッセージを、前記サービス提供プロセッサにルーティングすることを可能とするルーティングラベルを含むように、前記ルーティングラベルを選択するための前記媒体に配置された手段を含み、
前記複数の基地局のうちの任意の基地局が、前記単一あるいは複数個のメッセージを、前記サービス提供プロセッサにルーティングすることを可能とするルーティングラベルを含むように、前記ルーティングラベルを選択するための前記媒体に配置された手段が、前記複数の基地局のうちの第１基地局が、前記モバイル局に関連付けられた第１メッセージを、前記サービス提供プロセッサにルーティングすることを可能とし、且つ、前記複数の基地局のうちの第２基地局が、前記モバイル局に関連付けられた第２メッセージを、前記サービス提供プロセッサにルーティングすることを可能とするルーティングラベルを含むように、前記ルーティングラベルを選択するための前記媒体に配置された手段を含み、
前記リンク識別子は、第１リンク識別子を含み、前記モバイル局は、第１モバイル局を含み、前記サービス提供プロセッサは、第１サービス提供プロセッサを含み、前記複数の基地局のうちの第１基地局が、前記第１モバイル局に関連付けられた第１メッセージを、前記第１サービス提供プロセッサにルーティングすることを可能とし、且つ、前記複数の基地局のうちの第２基地局が、前記第１モバイル局に関連付けられた第２メッセージを、前記サービス提供プロセッサにルーティングすることを可能とする前記ルーティングラベルが、第１ルーティングラベルを含み、
該通信装置がさらに、
第２モバイル局と関連付けられた第２リンク識別子にアクセスするための前記媒体に配置された手段と、
前記第１基地局が、前記第２モバイル局に関連付けられた第３メッセージを、第２サービス提供プロセッサにルーティングすることを可能にし、且つ、前記第２基地局が、前記第２モバイル局に関連付けられた第４メッセージを、第２サービス提供プロセッサにルーティングすることを可能とする第２ルーティングラベルを包含させる目的で、前記第２リンク識別子を修正するための前記媒体に配置された手段と、
を有する通信装置。
【発明の詳細な説明】
【０００１】
【発明の属する技術分野】
本発明は通信技術に関し、特に、基地局に関連するメッセージングのサポートに関する。
【０００２】
【従来の技術】
ネットワークのある種の実装においては、全基地局とその基地局がサービスを提供している汎用パケット無線サービスサポートノードとの間に、フレームリレーインターフェースが用いられる。フレームリレーインターフェースは、一般には、ポイント−ツー−ポイントリンクを含んでいる。サービス受容側の汎用パケット無線サービスサポートノードは、単一のプロセッサを有している。よって、基地局とサービス受容側汎用パケット無線サービスサポートノードとの間には、一対一の関係が存在する。通常、移動体局（モバイル局）は、複数個の基地局の中の最近接の基地局に対してメッセージを送出する。当該メッセージは、その特定の基地局が専有しているサービス提供側汎用パケット無線サービスサポートノード宛にルーティングされる。
【０００３】
【発明が解決しようとする課題】
この種の実装に関する欠点の一つは、リソース群に係る容量が極めて限られていることである。なぜなら、各基地局が、その基地局が専有しているサービス提供側汎用パケット無線サービスサポートノードを必要とするからである。また、別の欠点は、この種の実装が非常に限られた信頼性しか有さない、という点である。なぜなら、特定の基地局に対してサービスを提供していたサービス提供側汎用パケット無線サービスサポートノードが利用不可能になった場合、その特定の基地局に関連するメッセージングのサポート処理を継続して実現するためには、別のサービス提供側汎用パケット無線サービスサポートノードをその特定の基地局に専有させることが必要になってしまうためである。
【０００４】
よって、基地局に関連するメッセージングをサポートするリソースの利用可能性を向上させることに関する要求が存在している。さらに、基地局に関連するメッセージングをサポートするリソースの信頼性を向上させる要求も存在する。
【０００５】
【課題を解決するための手段】
本発明の実施例に従って、基地局メッセージのサービス提供側プロセッサへのルーティングを可能にするルーティングラベルをリンク識別子に含ませる修正を実現することにより、従来技術に係る前記問題点が克服され、さらなる技術的前進がなされる。
【０００６】
本発明の一実施例は方法に係るものである。モバイル局に関連するリンク識別子がアクセスされる。リンク識別子は、基地局が単一あるいは複数個のメッセージをサービス提供側プロセッサ宛にルーティングすることを可能にするルーティングラベルを含むように修正される。
【０００７】
本発明の別の実施例はシステムに係るものである。当該システムは、モバイル局に係るリンク識別子をアクセスするコンポーネントを含んでいる。当該システムは、基地局が単一あるいは複数個のメッセージをサービス提供側プロセッサ宛にルーティングすることを可能にするルーティングラベルを含むようにリンク識別子を修正するコンポーネントを含んでいる。
【０００８】
本発明のさらに別の実施例は装置に係るものである。当該装置は、コンピュータによって読み出し可能な信号担持媒体を含んでいる。当該装置は、前記媒体中に、モバイル局に関連するリンク識別子をアクセスする手段を含んでいる。当該装置は、前記媒体中に、基地局が単一あるいは複数個のメッセージをサービス提供側プロセッサ宛にルーティングすることを可能にするルーティングラベルを含むようにリンク識別子を修正する手段を含んでいる。
【０００９】
【発明の実施の形態】
本発明の実施例においては、モバイル局に係るリンク識別子が、単一あるいは複数個のメッセージを基地局がサービス提供プロセッサにルーティングすることを可能にするルーティングラベルを含むように修正される。
【００１０】
以下、本発明の実施例に係る詳細な議論が例示目的でなされる。
【００１１】
図１において、システム１００は、コンピュータソフトウエア及び／あるいはハードウエアコンポーネントなどの複数個のコンポーネントを有している。システム１００の一例においては、この種のコンポーネントは、組み合わせられたり分割されたりすることが可能である。システム１００の一例は、少なくとも一つのコンピュータによって読み出し可能な信号担持媒体を有している。システム１００におけるコンピュータによって読み出し可能な信号担持媒体の一例は、磁気的、光学的、生物的、及び原子的データ蓄積媒体のうちの一つあるいは複数個等の記録可能データ蓄積媒体例１０２である。別の実施例においては、システム１００におけるコンピュータによって読み出し可能な信号担持媒体は、例えば、電話ネットワーク、ローカルエリアネットワーク（“ＬＡＮ”）、インターネット、及び無線ネットワークのうちの一つあるいは複数個等の、システム内に存在するあるいは結合されたネットワーク上で送出される被変調キャリア信号を含んでいる。システム１００におけるコンポーネント例には、当業者には公知のあらゆるプログラミング言語のうちのいずれかによって記述すなわち実装された一連のコンピュータインストラクションが含まれていて用いられる。
【００１２】
システム１００の一例においては、例えば、ノード１０４、ネットワーク１０６、単一あるいは複数個のパッセージ１０７、単一あるいは複数個の基地局１０８、単一あるいは複数個のモバイル局（“ＭＳ”）、及び単一あるいは複数個のメッセージ１１３等の単一あるいは複数個のコンポーネントが含まれる。
【００１３】
さらに、システム１００の一例においては、単一あるいは複数個のセッション１０３が存在する。システム１００の一例におけるセッション１０３は、例えば、ネットワーク１０６を介したノード１０４と単一あるいは複数個の基地局１０８との間のアクティブな（例えば、音声及びデータ）通信接続が含まれる。セッション１０３の一例は、パケットデータセッションである。
【００１４】
前記システム１００の一例におけるノード１０４は、サービス提供側汎用パケット無線サービスサポートノード（“ＳＧＳＮ”）を構成している。ある実施例においては、ノード１０４は複数個のプロセッサ１１４を有している。本発明の実施例におけるプロセッサ１１４は、サービス提供プロセッサを構成している。さらなる実施例においては、プロセッサ１１４は制御プロセッサを構成している。プロセッサ１１４の具体例には、プロセッサ１１６、１１８、１２０、及び１２２が含まれる。
【００１５】
システム１００の一例におけるネットワーク１０６は、例えばインターネットプロトコル（“ＩＰ”）等の標準に従うものである。
【００１６】
システム１００の一例におけるパッセージ１０７は、通信パッセージを実現している。ある実施例においては、パッセージ１０７は、電気的経路、光学的経路、無線経路、有線経路、ハードウエア経路、及びソフトウエア経路のうちの一つあるいは複数個等よりなる複数個の部分から構成される。パッセージ１０７の一例には、無線インターフェース１１０などのインターフェースが含まれる。システム１００の一例における無線インターフェース１１０は、単一あるいは複数個の基地局１０８と単一あるいは複数個のモバイル局１１２との間のインターフェースを実現している。
【００１７】
システム１００の一例における基地局１０８は、基地局サブシステム（“ＢＳＳ”）を有している。基地局１０８の具体例には、基地局１２４、１２６、及び１２８が含まれる。例えば、基地局１０８はストレージ１０９を有している。システム１００の一例におけるストレージ１０９は、テーブル１１１を有している。システム１００の一例におけるテーブル１１１は、ルーティングテーブルを有している。この一例におけるテーブル１１１は、単一あるいは複数個のエントリ３０２（図３）を有している。例えば、基地局１０８は、アドレスインジケータ１０５などのインジケータと共にテーブル１１１を利用する。この一例におけるアドレスインジケータ１０５は、プロセッサ１１４の（例えばシステム１００内における）アドレスの表示を有している。この一例においては、アドレスインジケータ１０５は、プロセッサ１１４のインターネットプロトコルアドレスを有している。システム１００の一例においては、アドレスインジケータ１０５は、単一あるいは複数個のメッセージ１１３を使用することによって通信される。テーブル１１１及びアドレスインジケータ１０５の使用例の詳細は、例示目的で提示されている。
【００１８】
システム１００の一例におけるモバイル局１１２は、移動体電話を含んでいる。モバイル局１１２の具体例には、モバイル局１３０及び４３０（図４）が含まれる。この一例においては、モバイル局１１２は、複数個の位置１３２の間を移動する。位置１３２の具体例には、位置１３４及び１３６が含まれる。例えば、モバイル局１１２は（例えば実効的に）経路例１３７などの経路を通過する。この一例における経路例１３７には、位置１３４と１３６との間の経路が含まれる。この一例においては、モバイル局１１２は経路１３７に沿って位置１３４から位置１３６へと移動する。
【００１９】
システム１００の一例におけるメッセージ１１３は、データパケットなどのパケットを含んでいる。メッセージ１１３の具体例には、メッセージ１４０、１４６、１５２、１５８、１７０、１８０、１８１、１９０、及び１９６が含まれる。
【００２０】
システム１００の一例においては、メッセージ１１３は複数個の部分２０２を有している。部分２０２の具体例には、識別子２０４、ラベル２０６、及び副次部分２０８が含まれる。この一例における識別子２０４は、一時的論理リンク識別子（“ＴＬＬＩ”）を含んでいる。ある例においては、識別子２０４はラベル２０６を含んでいる。さらに別の例においては、識別子２０４はラベル２０６及び副次部分２０８を含んでいる。この一例におけるラベル２０６は、ルーティングラベルを含んでいる。この一例では、ラベル２０６は、例えばオクテット、すなわち８ビットバイト、を含んでいる。例えば、ラベル２０６は、識別子２０４の下位のオクテットを含んでいる。例えば、副次部分２０８は、識別子２０４の上位のオクテットを含んでいる。
【００２１】
システム１００の一例においては、識別子２０４に係る個々の値（例えば、副次部分２０８）とそれぞれのモバイル局１１２との間に関連が存在している。例えば、システム１００は、識別子２０４に係る個々の値（例えば、副次部分２０８）を選択及び／あるいは使用し、識別子２０４に係る個々の値（例えば、副次部分２０８）を特定のモバイル局１１２に関連付ける。別の例では、システム１００は、複数個のモバイル局１１２のうちの個々のモバイル局１１２と、識別子２０４に係る個々の値（例えば、副次部分２０８）との間の関連を利用する。例えば、（例えば、システム１００のセッション１０３の間の）あらゆる個々のモバイル局１１２は、（例えば、システム１００のセッション１０３の間のそれぞれのモバイル局１１２に関連付けられた識別子２０４に係る他の個々の値（例えば、副次部分２０８）とは異なった、識別子２０４に係る値（例えば、副次部分２０８）との関連を有している。
【００２２】
システム１００の一例においては、特定のメッセージ１１３の識別子２０４（例えば、その副次部分２０８）が、複数個のモバイル局１１２の中から所定のモバイル局１１２を、その特定のメッセージ１１３の送り手として識別するように機能する。別の例では、特定のメッセージ１１３の識別子２０４（例えば、その副次部分２０８）が、複数個のモバイル局１１２の中から所定のモバイル局１１２を、その特定のメッセージ１１３の発信者として識別するように機能する。例えば、特定のメッセージ１１３の識別子２０４（例えば、その副次部分２０８）が、複数個のモバイル局１１２の中から所定のモバイル局１１２を、その特定のメッセージ１１３に関する（例えば、直接あるいは間接の）ベースとして機能する所定の（例えば、アップストリーム）メッセージの送り手として識別するように機能する。さらに別の例では、特定のメッセージ１１３の識別子２０４（例えば、その副次部分２０８）が、複数個のモバイル局１１２の中から所定のモバイル局１１２を、その特定のメッセージ１１３の送出に係る刺激として機能する所定の（例えば、アップストリーム）メッセージの送り手として識別するように機能する。
【００２３】
システム１００の一例においては、モバイル局１１２は、無線インターフェース１１０を介してメッセージ１１３を基地局１０８宛に送出する。例えば、モバイル局１３０が、無線インターフェース１１０を介して、メッセージ１４０を基地局１２４宛に送出する。
【００２４】
システム１００の一例においては、メッセージ１４０はアタッチメッセージを構成する。ある例では、モバイル局１３０は、メッセージ１４０を、モバイル局１３０がシステム１００に到達した際に送出する。例えば、モバイル局１３０は、メッセージ１４０を、システム１００のセッション１０３を開始させる目的で送出する。一例においては、メッセージ１４０は、（例えば、システム１００のセッション１０３において）特定のプロセッサ１１４がモバイル局１３０に対するサービス提供プロセッサとして機能するという割り当てが実現する前にモバイル局１３０が（例えば、システム１００のセッション１０３において）送出するイニシャルメッセージを構成している。
【００２５】
システム１００の一例においては、メッセージ１４０は値１４２を有している。例えば、値１４２は、識別子２０４に係る値として機能する。一例においては、値１４２は値１４４を有している。さらなる例においては、値１４２は値１４４及び１４５を有している。一例においては、値１４４は、ラベル２０６に係る値として機能する。一例においては、値１４５は、副次部分２０８に係る値として機能する。
【００２６】
一例においては、基地局１２４は、メッセージ１４６を獲得する目的でメッセージ１４０を用いる。一例においては、メッセージ１４６は値１４８を有している。例えば、値１４８は、識別子２０４に係る値として機能する。一例においては、値１４８は、メッセージ１４０の値１４２に基づいている。例えば、値１４８は値１４２と等しい。一例においては、値１４２及び１４８は、識別子２０４に係る同一の値を有している。
【００２７】
一例においては、メッセージ１４６の値１４８は、値１５０を有している。さらなる例においては、値１４８は、値１５０及び１５１を有している。例えば、値１５０は、ラベル２０６に係る値として機能する。一例においては、値１５０は、メッセージ１４０の値１４４に基づいている。例えば、値１４４及び１５０は、ラベル２０６に係る同一の値を有している。一例においては、値１５１は副次部分２０８に係る値として機能する。例えば、値１５１は値１４５と等しい。例えば、値１４５及び１５１は、副次部分２０８に係る同じ値を有している。
【００２８】
システム１００の一例においては、基地局１２４は、ネットワーク１０６を介してノード１０４宛にメッセージを送出する。一例においては、ノード１０４で、プロセッサ１１４がメッセージ１４６を受信する。以下、システム１００におけるメッセージ１４６の利用の詳細が、例示目的で提供される。
【００２９】
システム１００の一例においては、ノード１０４におけるプロセッサ１１４は、プロセッサ１１４をモバイル局１１２に対するサービス提供プロセッサとして機能するように（例えば、直接あるいは間接に）割り当てる目的で、単一あるいは複数個のメッセージ１１３を使用する。
【００３０】
システム１００の一例においては、プロセッサ１１４は、例えば、複数個のプロセッサの中での相対的ワークロード及び／あるいは単一あるいは複数個のプロセッサの利用可能性に基づいて、プロセッサ１１４をモバイル局１１２に対するサービス提供プロセッサとして機能するように割り当てる。例えば、プロセッサ１１４は、第一プロセッサ１１４と第二プロセッサ１１４との間でのワークロードの平準化を促進する目的で、第一プロセッサ１１４を第一モバイル局１１２に対するサービス提供プロセッサとして機能させるように割り当て、また、プロセッサ１１４は、第二プロセッサ１１４を第二モバイル局１１２に対するサービス提供プロセッサとして機能させるように割り当てる。別な例では、プロセッサ１１４は、あるプロセッサ１１４が単一あるいは複数個の他のモバイル局１１２に対するサービス提供プロセッサとしてサービスを提供しているという割り当てが存在するにも拘わらず、モバイル局１１２に対するサービス提供プロセッサとして機能させるように当該特定のプロセッサ１１４を割り当てる。例えば、プロセッサ１１４は、特定のプロセッサ１１４を、当該プロセッサが第二のモバイル局１１２に対するサービス提供プロセッサとして機能するように既に割り当てられているにも拘わらず、当該特定のプロセッサ１１４を第一モバイル局１１２に対するサービス提供プロセッサとして機能するように割り当てる。モバイル局１１２に対するサービス提供プロセッサとして機能するようにプロセッサ１１４を割り当てること及び複数個のモバイル局１１２に対するサービス提供プロセッサとして機能するように複数個のプロセッサ１１４を割り当てることのさらなる詳細が、例示目的で本明細書に記載される。
【００３１】
システム１００の一例においては、プロセッサ１１４が、あるプロセッサ１１４を特定のモバイル局１１２に対するサービス提供プロセッサとして機能させるように割り当てることを示す目的で、メッセージ１１３の識別子２０４（例えば、ラベル２０６）に対する値の部分を修正する。例えば、プロセッサ１１４は、特定のモバイル局１１２から発信されたメッセージ１１３のうちのあるもの（例えば、その全て）のラベル２０６に対する値としてある種の（例えば、別個の）値を選択し及び／あるいは挿入する。一例においては、ラベル２０６に対するこの種の（例えば、別個の）値は、特定のモバイル局１１２に対するサービス提供プロセッサとしてあるプロセッサ１１４を識別することを可能にするように機能する。
【００３２】
システム１００におけるメッセージ１４６の活用のさらなる詳細例が、以下、例示目的で提示される。システム１００の一例においては、プロセッサ１１６などのプロセッサ１１４が、ノード１０４においてメッセージ１４６を受信する。この一例においては、プロセッサ１１６は、メッセージ１５２を獲得する目的でメッセージ１４６を使用する。一例においては、プロセッサ１１６は、プロセッサ１１４をモバイル局１３０に対するサービス提供プロセッサとして機能させるように（例えば、直接あるいは間接に）割り当てる目的で、メッセージ１５２を使用する。さらなる例では、プロセッサ１１６は、プロセッサ１１４をモバイル局１３０に対するサービス提供プロセッサとして機能させるように割り当てる目的で、他のプロセッサ１１４（例えば、プロセッサ１２０）と協同する。例えば、プロセッサ１１５は、プロセッサ１２０をモバイル局１３０に対するサービス提供プロセッサとして機能させるように（例えば、直接あるいは間接に）割り当てる目的で、メッセージ１５２を使用する。モバイル局１３０に対するサービス提供プロセッサとして機能させるようにプロセッサ１１４（例えば、プロセッサ１２０）を割り当てる例のさらなる詳細が、例示目的で提示される。
【００３３】
システム１００の一例においては、メッセージ１５２は値１５４を有している。例えば、値１５４は、識別子２０４に対する値として機能する。一例においては、値１５４は、メッセージ１４６の値１４８に基づいている。
【００３４】
システム１００の一例においては、メッセージ１５２の値１５４は、値１５６を有している。さらなる例においては、値１５４は、値１５６及び１５７を有している。例えば、値１５６は、ラベル２０６に係る値として機能する。一例においては、値１５６は、メッセージ１４６の値１５０に基づいている。一例においては、値１５７は、副次部分２０８に係る値として機能する。一例においては、値１５７は値１５１と等しい。例えば、値１５１及び１５７は、副次部分２０８に係る同一の値を有している。
【００３５】
一例においては、メッセージ１５２の値１５４は、メッセージ１４６の値１４８に等しい。例えば、値１４８及び１５４は、識別子２０４に係る同一の値を有している。さらなる例においては、メッセージ１５２の値１５６は、メッセージ１４６の値１５０に等しい。例えば、値１５０及び１５６は、ラベル２０６に係る同一の値を有している。メッセージ１５２の値１５４とメッセージ１４６の値１４８とが等しいようなシステム１００の一例における動作のさらなる詳細が、以下に例示目的で提示される。
【００３６】
別の例においては、メッセージ１５２の値１５４が、メッセージ１４６の値１４８とは異なっている。例えば、値１４８及び１５４が、識別子２０４に係る相異なった値を有している。例えば、値１５４の一部が値１４８の一部と異なる。例えば、メッセージ１５２の値１５６が、メッセージ１４６の値１５０と異なる。一例においては、値１５０及び１５６は、ラベル２０６に係る相異なった値を有している。さらなる例においては、値１５６が値１５０と異なっている分だけ、値１５４が値１４８と異なる。例えば、メッセージ１５２の値１５７及びメッセージ１４６の値１５１は、副次部分２０８に係る同一の値を有している。
【００３７】
システム１００の一例においては、プロセッサ１１６は、例えば、プロセッサ１２０をモバイル局１３０に対するサービス提供プロセッサとして割り当てて及び／あるいは識別する目的で、メッセージ１５２のラベル２０６に係る値１５６をある種の（例えば、別個の）値として選択して及び／あるいは割り当てる。一例においては、値１５６は、メッセージ１４６のラベル２０６に係る値１５０とは異なった、ラベル２０６に対するある（例えば、新しい）値を有している。さらなる例においては、プロセッサ１１６は、ラベル２０６に係る他の全ての値、例えば、システム１００のセッション１０３の間に利用されて及び／あるいは予約される値、とは別個の値を有させる目的で値１５６を選択する。
【００３８】
システム１００の一例においては、メッセージ１５２のラベル２０６に係る値１５６は、メッセージ１５２の識別子２０４に係る値１５４の下位のオクテットを有している。さらなる例においては、メッセージ１４６のラベル２０６に係る値１５０は、メッセージ１４６の識別子２０４に係る値１４８の下位のオクテットを有している。一例においては、プロセッサ１１６は、値１５０とは異なった値１５６を選択する。一例においては、プロセッサ１１６は、値１５６を得る目的で値１５０を修正する。さらなる例においては、プロセッサ１１６は、メッセージ１５２のラベル２０６に係る値１５６がメッセージ１４６のラベル２０６に係る値１５０と異なっている分だけメッセージ１４６の識別子２０４に係る値１４８が異なるように、メッセージ１５２の識別子２０４に係る値１５４を選択する。
【００３９】
システム１００の一例においては、メッセージ１５２の副次部分２０８に係る値１５７は、値１５４の上位オクテットを有している。さらなる例においては、メッセージ１４６の副次部分２０８に係る値１５１は、値１４８の上位オクテットを有している。例えば、プロセッサ１１６は、値１５１に等しい値１５１を選択する。例えば、プロセッサ１１６は、副次部分２０８に係る同一の値を有するように値１５１及び１５７を選択する。
【００４０】
システム１００におけるメッセージ１５２の使用例のさらなる詳細が、例示目的で提示される。
【００４１】
システム１００の一例においては、プロセッサ１１６は、メッセージ１５２からプロセッサ１２０に係るアドレスインジケータ１０５及びラベル２０６に係る値１５６を、例えば、プロセッサ１２０がモバイル局１３０に対するサービス提供プロセッサとして割り当てられていることを表示する目的で、単一あるいは複数個の基地局１０８宛に送出する。一例においては、アドレスインジケータ１０５は、プロセッサ１２０の（例えば、システム１００内における）アドレス表示を有している。例えば、アドレスインジケータ１０５は、プロセッサ１２０のインターネットプロトコルアドレスを有している。
【００４２】
システム１００の一例においては、プロセッサ１１６は、ラベル２０６の値１５６を送出する目的で特定のメッセージ１１３の第一部分２０２を使用し、アドレスインジケータ１０５を送出する目的で特定のメッセージ１１３の第二部分２０２を使用する。さらなる例においては、プロセッサ１１６は、値１５６及びアドレスインジケータ１０５を、システム１００内の全ての基地局宛に送出する。例えば、プロセッサ１１６は、値１５６及びアドレスインジケータ１０５を基地局１２４、１２６、及び１２８宛に送出する。
【００４３】
基地局１０８は、例えば、ラベル２０６の値１５６及びプロセッサ１２０に関連するアドレスインジケータ１０５をストアする目的で、テーブル１１１を使用する。テーブル１１１の一例に係るさらなる詳細が、以下に例示目的で提示される。
【００４４】
システム１００の一例においては、プロセッサ１１６は、メッセージ１５２を例えばプロセッサ１２０などのプロセッサ１１４宛に送出する。この一例においては、プロセッサ１２０は、メッセージ１５８を獲得する目的でメッセージ１５２を使用する。一例においては、メッセージ１５８は、値１６０を有している。一例においては、値１６０は、メッセージ１５２の値１５４に基づく。例えば、値１６０は値１５４に等しい。例えば、値１５４及び１６０は、識別子２０４に係る同一の値を有している。
【００４５】
システム１００の一例においては、メッセージ１５８の値１６０は、値１６２を有している。さらなる例においては、値１６０は値１６２及び１６４を有している。例えば、値１６２は、ラベル２０６に係る値として機能する。一例においては、値１６２は、メッセージ１５２の値１５６に基づいている。一例においては、値１６４は、副次部分２０８に係る値として機能する。一例においては、値１６４は、メッセージ１５２の値１５７に基づく。例えば、値１６４は値１５７に等しい。例えば、値１５７及び１６４は、副次部分２０８に係る同一の値を有している。システム１００におけるメッセージ１５８の使用例のさらなる詳細が、例示目的で提示される。
【００４６】
メッセージ１５２の値１５４がメッセージ１４６の値１４８に等しいような例においては、プロセッサ１２０が、メッセージ１５８を獲得する目的でメッセージ１５２を使用する。一例においては、プロセッサ１２０は、モバイル局１３０に対するサービス提供プロセッサとして機能させるようにプロセッサ１１４を（例えば、直接あるいは間接に）割り当てる目的で、メッセージ１５８を使用する。さらなる例においては、プロセッサ１２０は、モバイル局１３０に対するサービス提供プロセッサとして機能させるようにプロセッサ１１４を割り当てる目的で、他のプロセッサ１１４（例えば、プロセッサ１１６）と協同する。例えば、プロセッサ１２０は、モバイル局１３０に対するサービス提供プロセッサとして機能させるようにプロセッサ１２０を（例えば、直接あるいは間接に）割り当てる目的で、メッセージ１５８を使用する。
【００４７】
システム１００の一例においては、メッセージ１５８は値１６０を有している。例えば、値１６０は、識別子２０４に係る値として機能する。一例においては、値１６０は、メッセージ１５２の値１５４に基づく。
【００４８】
システム１００の一例においては、メッセージ１５８の値１６０は、メッセージ１５２の値１５４とは異なっている。例えば、値１６０及び１５４は、識別子２０４に係る相異なった値を有している。例えば、値１６０の一部が、値１５４の一部と異なる。例えば、メッセージ１５８の値１６２は、メッセージ１５２の値１５６とは異なっている。一例においては、値１５６及び１６２は、ラベル２０６に係る相異なった値を有している。さらなる例においては、値１６０は値１５４と、値１６２が値１５６と異なる分だけ異なっている。例えば、メッセージ１５８の値１６４とメッセージ１５２の値１５７は、副次部分２０８に係る同一の値を有している。
【００４９】
システム１００の一例においては、プロセッサ１２０は、例えば、モバイル局１３０に対するサービス提供プロセッサとしてプロセッサ１２０を割り当てる及び／あるいは識別する目的で、メッセージ１５８のラベル２０６に係る値１６２としてある（例えば、別個の）値を選択し及び／あるいは割り当てる。一例においては、値１６２は、メッセージ１５２のラベル２０６に係る値１５６とは異なった、ラベル２０６に係る新しい値である。一例においては、プロセッサ１２０は、例えば、システム１００のセッション１０３の間に使用される及び／あるいは予約される、ラベル２０６に係る他の全ての値とは別個の、ラベル２０６に係る値を有するように値１６２を選択する。
【００５０】
システム１００の一例においては、メッセージ１５８のラベル２０６に係る値１６２は、メッセージ１５８の識別子２０４に係る値１６０の下位オクテットを有している。さらなる例においては、メッセージ１５２のラベル２０６に係る値１５６は、メッセージ１５２の識別子２０４に係る値１５４の下位オクテットを有している。一例においては、プロセッサ１２０は、値１５６とは異なった値１６２を選択する。例えば、プロセッサ１２０は、値１６２を獲得する目的で値１５６を修正する。
【００５１】
システム１００の一例においては、プロセッサ１２０は、メッセージ１５８のラベル２０６に係る値１６２がメッセージ１５２のラベル２０６に係る値１５６と異なる分だけメッセージ１５２の識別子２０４に係る値１５４と異なるように、メッセージ１５８の識別子２０４に係る値１６０を選択する。一例においては、メッセージ１５８の副次部分２０８に係る値１６４は、値１６０の上位オクテットを有している。さらなる例においては、メッセージ１５２の副次部分２０８に係る値１５７は、値１５４の上位オクテットを有している。例えば、プロセッサ１２０は、値１６４を値１５７と等しくなるように選択する。例えば、プロセッサ１２０は、値１５７及び１６４が副次部分２０８に係る同一の値を有するように選択する。
【００５２】
システム１００におけるメッセージ１５８の使用のさらなる詳細が、以下に例示目的で提示される。
【００５３】
システム１００の一例においては、プロセッサ１２０は、プロセッサ１２０に係るアドレスインジケータ１０５及びメッセージ１５８からラベル２０６に係る値１６２を、例えば、プロセッサ１２０がモバイル局１３０に対するサービス提供プロセッサとして割り当てられていることを表示する目的で、単一あるいは複数個の基地局１０８宛に送出する。一例においては、プロセッサ１２０は、ラベル２０６の値１６２を送出する目的で特定のメッセージ１１３の第一部分２０２を使用し、アドレスインジケータ１０５を送出する目的で特定のメッセージ１１３の第二部分２０２を使用する。さらなる例においては、プロセッサ１２０は、値１６２及びアドレスインジケータ１０５を、システム１００内の全ての基地局１０８宛に送出する。例えば、プロセッサ１２０は、値１６２及びアドレスインジケータを、基地局１２４、１２６、及び１２８宛に送出する。
【００５４】
基地局１０８は、ラベル２０６の値１６２及び、例えば、プロセッサ１２０に関連するアドレスインジケータ１０５をストアする目的で、テーブル１１１を使用する。テーブル１１１の使用に係るさらなる詳細例が、以下に例示目的で提示される。
【００５５】
システム１００の一例においては、プロセッサ１２０は、ネットワーク１０６を介して単一あるいは複数個の基地局１０８宛にメッセージ１５８を送出する。一例においては、基地局１２４のような基地局１０８がメッセージ１５８を受信する。一例においては、基地局１２４は、メッセージ１７０を獲得する目的で、メッセージ１５８を使用する。
【００５６】
システム１００の一例においては、メッセージ１７０は値１７２を有している。例えば、値１７２は、識別子２０４に係る値として機能する。一例においては、値１７２は、メッセージ１５８の値１６０に基づいている。例えば、値１７２は値１６０に等しい。例えば、値１６０及び値１７２は、識別子２０４に係る同一の値を有している。
【００５７】
システム１００の一例においては、値１７２は値１７４を有している。さらなる例においては、値１７２は、値１７４及び１７６を有している。例えば、値１７４は、ラベル２０６に係る値として機能する。一例においては、値１７４は、メッセージ１５８の値１６２に基づいている。例えば、値１７４は値１６２と等しい。例えば、値１６２及び１７４は、ラベル２０６に係る同一の値を有している。一例においては、値１７６は、副次部分２０８に係る値として機能する。一例においては、値１７６は、メッセージ１５８の値１６４に基づいている。例えば、値１７６は値１６４と等しい。例えば、値１６４及び１７６は、副次部分２０８に係る同一の値を有している。
【００５８】
システム１００の一例においては、基地局１２４は、無線インターフェース１１０を介して、モバイル局１３０宛にメッセージ１７０を送出する。一例においては、メッセージ１７０の副次部分２０８に係る値１７６は、モバイル局１３０がメッセージ１７０に係るベースとして機能するメッセージ１１３（例えば、メッセージ１４０）の発信者を構成していることを表示するように機能する。一例においては、モバイル局１３０は、例えば、プロセッサ１２０がモバイル局１３０に対するサービス提供プロセッサとして機能している間にシステム１００（の、例えばセッション１０３）内においてモバイル局１３０が送出するそれ以降の全てのメッセージ１１３におけるラベル２０６に係る特定の値を割り当てる及び／あるいは使用する目的で、メッセージ１７０の値１７４を使用する。一例においては、ラベル２０６に係る、値１７４に等しい特定の値は、基地局１０８がモバイル局１３０からのメッセージ１１３を（例えば、実質的に直接）プロセッサ１２０宛にルーティングすることを許可するように機能する。ラベル２０６に係る値の使用によるメッセージ１１３の特定のプロセッサ１１４宛の（例えば、実質的に直接の）ルーティング例のさらなる詳細例は、以下に例示目的で提示される。
【００５９】
システム１００におけるテーブル１１１の一例の詳細例に係る議論が、例示目的で提示される。システム１００の一例においては、テーブル１１１は、単一あるいは複数個のエントリ３０２を有している。一例においては、エントリ３０２は、エントリ３１４、３１６、３１８、及び３２０が含まれる。一例においては、エントリ３０２は、単一あるいは複数個の表示３０４を含んでいる。表示例には、表示３０６、３０８、及び３１０が含まれる。エントリ３０２の一例には、表示３０６、表示３０８、及び表示３１０が含まれる。
【００６０】
システム１００の一例においては、表示３０６は、ラベル２０６に係る値の表示を含んでいる。一例においては、表示３０６は、例えば、システム１００におけるある種のメッセージ１１３の、モバイル局１１２に対するサービス提供プロセッサを構成しているプロセッサ１１４宛の（例えば、実質的に直接の）ルーティングを可能にするよう機能する、ラベル２０６に係る値を識別するように機能する。ここで、前記モバイル局１１２は、前記ある種のメッセージ１１３の発信者あるいは前記ある種のメッセージ１１３に係る（例えば、アップストリーム）ベースを構成しているメッセージ１１３の発信者である。（例えば、ラベル２０６に係る）表示３０６の例には、値３２２、３２６、３３０、及び３３４が含まれる。
【００６１】
システム１００の一例においては、表示３０８はアドレス３１２を含んでいる。一例においては、アドレス３１２はインターネットプロトコルアドレスを含んでいる。例えば、アドレス３１２は、プロセッサ１１４の位置の表示を含んでいる。アドレス３１２の例は、アドレス３２４、３２８、３３２、及び３３６である。一例においては、アドレス３２４は、プロセッサ１１６に対するアドレス（例えば、その表示）を含んでいる。一例においては、アドレス３３２は、プロセッサ１２０に対するアドレス（例えば、その表示）を含んでいる。一例においては、アドレス３３６は、プロセッサ１２２に対するアドレス（例えば、その表示）を含んでいる。
【００６２】
システム１００の一例においては、表示３１０は、表示３０６及び３０８を関連付けるように機能する。一例においては、表示３１０は、当業者には公知のポインタを含んでいる。一例においては、表示３１０は、表示３０６から得られたラベル２０６に係る値を、アドレス３１２を含む表示３０８の値と関連付けるように機能する。表示３１０の例には、表示３３８、３４０、３４２、及び３４４が含まれる。
【００６３】
システム１００の一例においては、テーブル１１１のエントリ３１４において、表示３３８が、ラベル２０６に係る値３２２とプロセッサ１１６に係るアドレス３２４との間の関連の表示を有している。一例においては、エントリ３１６において、表示３４０が、ラベル２０６に係る値３２６とプロセッサ１１８に係るアドレス３２８との間の関連の表示を有している。一例においては、エントリ３１８において、表示３４２が、ラベル２０６に係る値３３０とプロセッサ１２０に係るアドレス３３２との間の関連の表示を有している。一例においては、エントリ３２０において、表示３４４が、ラベル２０６に係る値３３４とプロセッサ１２２に係るアドレス３３６との間の関連の表示を有している。
【００６４】
システム１００におけるメッセージング及びそのサポートに係るさらなる詳細例が、以下に、例示目的で提示される。一例においては、モバイル局１３０がメッセージ１８０を準備する。一例においては、メッセージ１８０は値１８２を有している。例えば、値１８２は識別子２０４に係る値として機能する。一例においては、値１８２は値１８４を有している。さらなる例においては、値１８２は値１８４及び１８６を有している。例えば、値１８４はラベル２０６に係る値として機能する。一例においては、値１８４はメッセージ１７０の値１７４に基づいている。例えば、値１８４は値１７４と等しい。例えば、値１７４及び１８４は、ラベル２０６に係る同一の値を有している。一例においては、モバイル局１３０は、メッセージ１８０のラベル２０６に係る値１８４を、メッセージ１７０のラベル２０６に係る値１７４と等しく選択し、そのことによって、メッセージ１８０をモバイル局１３０に係るサービス提供プロセッサを構成しているプロセッサ１１４（例えば、プロセッサ１２０）宛に（例えば、実質的に直接）ルーティングする目的で、基地局１０８がラベル２０６に係る値１８４を使用する。
【００６５】
システム１００の一例においては、メッセージ１８０の値１８６が、副次部分２０８に係る値として機能する。一例においては、モバイル局１３０は、モバイル局１３０がメッセージ１８０に係る発信者として機能していることを表示する、副次部分２０８に係る値を構成するように、値１８６を選択する。
【００６６】
一例においては、モバイル局１３０が、無線インターフェース１１０を介して、基地局１０８宛にメッセージ１８０を送出する。例えば、基地局１２４などの基地局１０８がメッセージ１８０を受信する。
【００６７】
システム１００の一例においては、基地局１２４が、例えば、メッセージ１８０をネットワーク１０６を介してノード１０４における特定のプロセッサ１１４宛にルーティングする目的で、メッセージ１８０からのラベル２０６の値１８４を使用する（例えば、評価する）目的で、テーブル１１１を使用する。例えば、基地局１２４は、ラベル２０６に係る値１８４と値３２２、３２６、３３０、及び３３４からのラベル２０６に係る値との間の一致を識別する及び／あるいは決定する目的で、（例えば、テーブル１１１において必要とされるだけ）単一あるいは複数個のエントリ３１４、３１６、３１８、及び３２０を検討する及び／あるいは走査する及び／あるいは検索する。ある特定の例においては、値１８４と、値３２２、３２６、３３０、及び３３４のうちのいずれとの間にも一致が存在しない。そのような特定の例では、基地局１２４は、メッセージ１８０を、本明細書においてメッセージ１４０に関して記述されたものと同様の方式で処理する。例えば、基地局１２４は、メッセージ１８０をアタッチメッセージとして処理する。
【００６８】
別の例では、基地局１２４は、メッセージ１８０からのラベル２０６に係る値１８４と、テーブル１１１中のエントリ３１８におけるラベル２０６に係る値３３０との間に一致が存在することを決定する。それゆえ、一例においては、基地局１２４は、プロセッサ１２０に係るアドレス３３２がモバイル局１３０に対するサービス提供プロセッサを構成しているプロセッサ１１４のアドレスとして機能することを識別する及び／あるいは決定する目的で、表示３４２を使用する。
【００６９】
システム１００の一例においては、基地局１２４が、メッセージ１８１を獲得する目的でメッセージ１８０を使用する。さらなる例においては、基地局１２４は、メッセージ１８１をプロセッサ１２０宛に（例えば、実質的に直接）ルーティングする。例えば、基地局１２４は、ノード１０４におけるプロセッサ１１４がモバイル局１３０に対するサービス提供プロセッサを構成する場合に、メッセージ１８１をネットワーク１０６を介して（例えば、実質的に直接）プロセッサ１２０宛に送出する目的で、テーブル１１１内のエントリ３１８のアドレス３３２を使用する。
【００７０】
システム１００の一例においては、メッセージ１８１は値１８３を有している。例えば、値１８３は、識別子２０４に係る値として機能する。一例においては、値１８３は、メッセージ１８０の値１８２に基づいている。例えば、値１８３は値１８２に等しい。例えば、値１８２及び１８３は、識別子２０４に係る同一の値を有している。
【００７１】
システム１００の一例においては、メッセージ１８１の値１８３は値１８５を有している。さらなる例においては、値１８３は値１８５及び１８７を有している。例えば、メッセージ１８１の値１８５は、ラベル２０６に係る値として機能する。一例においては、値１８５はメッセージ１８０の値１８４に基づいている。例えば、値１８５は値１８４に等しい。例えば、値１８４及び１８５は、ラベル２０６に係る同一の値を有している。一例においては、メッセージ１８１の値１８７は、副次部分２０８に係る値として機能する。一例においては、値１８７はメッセージ１８０の値１８６に基づいている。例えば、値１８７は値１８６に等しい。例えば、値１８６及び１８７は、副次部分２０８に係る同一の値を有している。
【００７２】
システム１００の一例においては、プロセッサ１２０は、メッセージ１８１の処理を実行する。さらなる例においては、プロセッサ１２０は、プロセッサ１２０がネットワーク１０６を介して、モバイル局１３０宛に伝達されるべき他のメッセージ１１３を得るためにメッセージ１１３を使用する基地局１０８宛に送出するメッセージ１１３を獲得する目的で、メッセージ１８１を使用する。
【００７３】
システム１００の一例においては、モバイル局１３０は、相異なった時点において、位置１３４及び１３６を占有する。一例においては、モバイル局１３０は、モバイル局１３０に対するサービス提供プロセッサを構成しているプロセッサ１１４（例えば、プロセッサ１２０）宛に（例えば、実質的に直接）ルーティングする目的で、位置１３４から、無線インターフェース１１０を介して、基地局１２４などの基地局１０８宛にメッセージ１８０を送出する。メッセージ１８０の一例に係る記述は、例示目的で既に提示されている。
【００７４】
システム１００の一例においては、モバイル局１３０がメッセージ１９０を準備し、位置１３６からメッセージ１９０を無線インターフェース１１０を介して基地局１２８宛に、モバイル局１３０に対するサービス提供プロセッサを構成しているプロセッサ１１４（例えば、プロセッサ１２０）へ（例えば、実質的に直接）ルーティングされるように、送出する。一例においては、メッセージ１９０は値１９２を有している。例えば、値１９２は、識別子２０４に係る値として機能する。一例においては、値１９２は値１９４を有している。さらなる例においては、値１９２は値１９４及び１９５を有している。一例においては、値１９４は、メッセージ１７０の値１７４に基づいている。例えば、値１９４は値１７４に等しい。例えば、値１７４及び１９４は、ラベル２０６に係る同一の値を有している。
【００７５】
システム１００の一例においては、モバイル局１３０は、メッセージ１９０のラベル２０６に係る値１９４を、メッセージ１７０のラベル２０６に係る値１７４と等しいとして選択し、基地局１０８が、ラベル２０６に係る値１９４を、モバイル局１３０に対するサービス提供プロセッサを構成しているプロセッサ１１４（例えば、プロセッサ１２０）宛にメッセージ１９０を（例えば、実質的に直接）可能であればルーティングさせる目的で使用することを可能にする。
【００７６】
システム１００の一例においては、メッセージ１９０の値１９５は、副次部分２０８に係る値として機能する。一例においては、モバイル局１３０は、値１９５を、副次部分２０８に係る値を構成するように選択し、その値は、モバイル局１３０がメッセージ１９０の発信者として機能していることを表示する。例えば、モバイル局１３０は、メッセージ１９０を無線インターフェース１１０を介して基地局１０８宛に送出する。一例においては、基地局１２８などの基地局１０８が、メッセージ１９０を受信する。
【００７７】
システム１００の一例においては、基地局１２８は、例えば、メッセージ１９０をネットワーク１０６を介してノード１０４における特定のプロセッサ１１４宛にルーティングするために、メッセージ１９０からのラベル２０６に係る値１９４を使用する（例えば、評価する）目的で、テーブル１１１を使用する。例えば、基地局１２８は、ラベル２０６に係る値１９４と値３２２、３２６、３３０、及び３３４からのラベル２０６に係る値との間の一致を識別する及び／あるいは決定する目的で、（例えば、テーブル１１１において必要とされるだけ）単一あるいは複数個のエントリ３１４、３１６、３１８、及び３２０を検討する及び／あるいは走査する及び／あるいは検索する。ある特定の例においては、値１９４と、値３２２、３２６、３３０、及び３３４のうちのいずれとの間にも一致が存在しない。そのような特定の例では、基地局１２８は、メッセージ１９０を、本明細書においてメッセージ１４０に関して記述されたものと同様の方式で処理する。例えば、基地局１２８は、メッセージ１９０をアタッチメッセージとして処理する。
【００７８】
別の例では、基地局１２８は、メッセージ１９０からのラベル２０６に係る値１９４と、テーブル１１１中のエントリ３１８におけるラベル２０６に係る値３３０との間に一致が存在することを決定する。それゆえ、一例においては、基地局１２８は、プロセッサ１２０に係るアドレス３３２がモバイル局１３０に対するサービス提供プロセッサを構成しているプロセッサ１１４のアドレスとして機能することを識別する及び／あるいは決定する目的で、表示３４２を使用する。
【００７９】
システム１００の一例においては、基地局１２８が、メッセージ１９６を獲得する目的でメッセージ１９０を使用する。さらなる例においては、基地局１２８は、メッセージ１９６をプロセッサ１２０宛に（例えば、実質的に直接）ルーティングする。例えば、基地局１２８は、ノード１０４におけるプロセッサ１１４がモバイル局１３０に対するサービス提供プロセッサを構成する場合に、メッセージ１９６をネットワーク１０６を介して（例えば、実質的に直接）プロセッサ１２０宛に送出する目的で、テーブル１１１内のエントリ３１８のアドレス３３２を使用する。
【００８０】
システム１００の一例においては、メッセージ１９６は値１９７を有している。例えば、値１９７は、識別子２０４に係る値として機能する。一例においては、値１９７は、メッセージ１９０の値１９２に基づいている。例えば、値１９７は値１９２に等しい。例えば、値１９２及び１９７は、識別子２０４に係る同一の値を有している。
【００８１】
システム１００の一例においては、メッセージ１９６の値１９７は値１９８を有している。さらなる例においては、値１９７は値１９８及び１９９を有している。例えば、メッセージ１９６の値１９８は、ラベル２０６に係る値として機能する。一例においては、値１９８はメッセージ１９０の値１９４に基づいている。例えば、値１９８は値１９４に等しい。例えば、値１９４及び１９８は、ラベル２０６に係る同一の値を有している。一例においては、メッセージ１９６の値１９９は、副次部分２０８に係る値として機能する。一例においては、値１９９はメッセージ１９０の値１９５に基づいている。例えば、値１９９は値１９５に等しい。例えば、値１９５及び１９９は、副次部分２０８に係る同一の値を有している。
【００８２】
システム１００の一例においては、プロセッサ１２０は、例えば、システム１００の第一のセッション１０３の間、モバイル局１３０に係るサービス提供プロセッサを構成する。一例においては、プロセッサ１２０がモバイル局１３０に係るサービス提供プロセッサとして機能することが不可能になる場合がある。例えば、プロセッサ１２０は、プロセッサ１１４に、プロセッサ１２０がモバイル局１３０に係るサービス提供プロセッサとして機能することが不可能であることを通知する。一例においては、プロセッサ１２０は、プロセッサ１２０がモバイル局１３０に係るサービス提供プロセッサとして機能することが不可能であることをプロセッサ１１６に通知する目的で、メッセージ１１３を使用する。さらなる例においては、プロセッサ１１４が、プロセッサ１２０がモバイル局１３０に係るサービス提供プロセッサとして機能することが不可能であることを決定する。
【００８３】
例えば、プロセッサ１１６などのプロセッサ１１４は、プロセッサ１２０がモバイル局１３０に係るサービス提供プロセッサとして機能することが不可能であることを決定する目的で、メッセージ１１３を使用する。例えば、プロセッサ１１６は、プロセッサ１２０がモバイル局１３０に係るサービス提供プロセッサとして機能することが可能であるか否かに係る更新情報及び／あるいは現在のステータスを獲得する目的で、プロセッサ１２０をポーリングする。一例においては、プロセッサ１２０がプロセッサ１１６からのポーリングに対する応答に（例えば、所定の時間間隔の間に）失敗した場合には、プロセッサ１１６は、プロセッサ１２０がモバイル局１３０に係るサービス提供プロセッサとして機能することが不可能であると決定する。
【００８４】
プロセッサ１１６が、プロセッサ１２０がモバイル局１３０に係るサービス提供プロセッサとして機能することが不可能であると決定するような一例においては、プロセッサ１１６は、プロセッサ１２０以外のプロセッサ１１４を、モバイル局１３０に係るサービス提供プロセッサとして機能させるように割り当てる。例えば、プロセッサ１１６は、プロセッサ１１８を、例えば、システム１００の第二セッション１０３の間、モバイル局１３０に係るサービス提供プロセッサとして機能させるように割り当てる。プロセッサ１２０がモバイル局１３０に係るサービス提供プロセッサとして機能する場合の例と同様、この一例においては、システム１００は、モバイル局１３０に係るサービス提供プロセッサとして機能させる目的で、プロセッサ１１８を使用する。
【００８５】
システム１００の一例においては、モバイル局４３０が、無線インターフェース１１０を介して基地局１２８宛に（例えば、アタッチメッセージを有する）メッセージ１１３を送出する。モバイル局１３０によって（例えば、位置１３４）から無線インターフェース１１０を介して送出された、アタッチメッセージを有するメッセージ１４０の基地局１２４による処理に係る前記記述例と同様に、一例においては、基地局１２８は、モバイル局４３０からの（例えば、アタッチメッセージを有する）メッセージ１１３を受信すると、当該メッセージ１１３をネットワーク１０６を介してノード１０４宛に送出する。
【００８６】
システム１００の一例においては、ノード１０４は、プロセッサ１１４をモバイル局４３０に対するサービス提供プロセッサとして機能させるように割り当てる目的で、単一あるいは複数個のプロセッサ１１４を使用する。一例においては、単一あるいは複数個のプロセッサ１１４は、プロセッサ１２０がモバイル局１３０に対するサービス提供プロセッサとして既に機能しているにも拘わらず、プロセッサ１２０をモバイル局４３０に対するサービス提供プロセッサとして機能させるように割り当てる。
【００８７】
別の例においては、プロセッサ１１６及び／あるいはプロセッサ１１８などの単一あるいは複数個のプロセッサ１１４は、例えば、プロセッサ１１８と１２０との相対的なワークロード及び／あるいはプロセッサ１１８の利用可能性に基づいて、プロセッサ１１８を、モバイル局４３０に対するサービス提供プロセッサとして機能させるように割り当てる。例えば、プロセッサ１１６及び／あるいはプロセッサ１２０は、プロセッサ１２０をモバイル局１３０に対するサービス提供プロセッサとして機能させるように割り当て、プロセッサ１１６及び／あるいはプロセッサ１１８は、プロセッサ１１８と１２０との間のワークロードの平準化を促進する目的で、プロセッサ１１８をモバイル局４３０に対するサービス提供プロセッサとして機能させるように割り当てる。モバイル局１３０に対するサービス提供プロセッサとして機能させる目的でのプロセッサ１２０の使用に係る前記記述例と同様、一例においては、システム１００が、モバイル局４３０に対するサービス提供プロセッサとして機能させる目的でプロセッサ１１８を使用する。
【００８８】
以上、記述に記述されている手順は、例示目的のものである。上記手順に対する種々の変形例が存在するが、それらは本発明の範疇に包含される。例えば、記述されている各段階が相異なった順序で実行されたり、新たな段階が追加されたり、削除されたり、修正されたりすることも可能である。
【００８９】
以上の説明は、本発明の一実施例に関するもので，この技術分野の当業者であれば、本発明の種々の変形例が考え得るが、それらはいずれも本発明の技術的範囲に包含される。
【００９０】
【発明の効果】
以上述べたごとく、本発明によれば、基地局に関連するメッセージングをサポートするリソースの利用可能性を向上させて、かつ、基地局に関連するメッセージングをサポートするリソースの信頼性を向上させるような方法、システム、及び装置が提供される。
【００９１】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】  少なくとも一つのモバイル局、単一あるいは複数個のパッセージ、単一あるいは複数個のメッセージ、複数個の基地局、ネットワーク、及び、複数個のサービス提供プロセッサを含むノードを有するシステム例を示す機能ブロック図であり、第一基地局とモバイル局との間の第一位置からの通信及び第二基地局とモバイル局との間の第二位置からの通信を例示する。
【図２】  図１に示されたシステムにおけるメッセージ例の詳細を示す図。
【図３】  図１に示されたシステムにおける基地局によって用いられるテーブル例の詳細を示す図。
【図４】  以前にモバイル局に対して割り当てられていたサービス提供プロセッサが利用不能になった場合の、当該モバイル局に対する別のプロセッサの割り当てを例示する図であり、図１のシステムにおける第一モバイル局の第一基地局との間の通信及び第二モバイル局の第二基地局との間の通信、サービス提供プロセッサが既に第一モバイル局に割り当てられている場合の第二モバイル局へのサービス提供プロセッサの割り当て、及び、第一サービス提供プロセッサの第一モバイル局への割り当て及び第二サービス提供プロセッサの第二モバイル局への割り当て、をそれぞれ例示する。
【符号の説明】
１００  システム
１０２  記録可能データ蓄積媒体
１０４  ノード
１０６  ネットワーク
１０８  基地局
１０９  ストレージ
１１０  無線インターフェース
１１１  テーブル
１１２  モバイル局
１１３  メッセージ
１１４  プロセッサ
２０２  メッセージ１１３の一部
２０４  識別子
２０６  ラベル
２０８  副次部分
３０２  エントリ
３０４  表示
【図１】
0003828395.tif 000002
【図２】
0003828395.tif 000003
【図３】
0003828395.tif 000004
【図４】
0003828395.tif 000005